(57)【要約】      （修正有）【課題】厩舎の敷料不足と価格の高騰に関し、安価なうえ、弾力性、吸水性、に特徴があり、さらに詳しくは、家畜の糞尿に由来するアンモニア臭の消臭性にも優れた落花生殻の敷料の製造装置を提供する。【解決手段】原料の殻を破砕し、１０ｍｍから１５ｍｍのスクリーンを通して縦横１５ｍｍ以下のサイズに破砕排出し、殻に付着している茎、蔓、土ほこりなどの細かな粒子を除くために前記製造装置の下部の排出口の側面に集塵機６のダクトを接続して空気の流れを作り、比重の軽い細かな粒子を吸引分離して排除し、比重の重い直径５ｍｍから１５ｍｍの殻は装置下部より取り出して敷料を製造する。【選択図】図１
0003178156.tif 000002
【実用新案登録請求の範囲】
【請求項１】
厩舎の敷料において、落花生殻の持つ優れた弾力性、吸水性、アンモニア臭の消臭性を特徴とする、厩舎用の敷料を提供する。
【請求項２】
厩舎の敷料において、落花生殻の持つ優れた弾力性、吸水性、消臭性を特徴とする敷料の機能を高め、厩舎の清掃に適するサイズに裁断、加工することを特徴とした敷料。
【請求項３】
厩舎の敷料において、落花生殻の持つ優れた弾力性、吸水性、消臭性を特徴とする敷料を他の食物系の敷料と混合して混合敷料として使用することを特徴とする混合敷料。
【請求項４】
上記の落花生殻の敷料を裁断製造する装置において原料の殻に付着している茎、蔓、土ほこりなどの細かな粒子を裁断排出時に集塵吸引、分離することを特徴とする製造装置。
【請求項５】
上記の落花生殻の敷料を裁断製造する装置において、裁断排出時に家畜の蹄の保護と防塵に給するため植物オイルを付着させることを特徴とする製造装置。
【考案の詳細な説明】
【技術分野】
【０００１】本考案は家畜の飼育において使用する敷料に関し、弾力性、吸水性に優れさらに詳しくは落花生殻に由来する消臭効果に優れた厩舎用の敷料に関する。
【背景技術】
【０００２】厩舎の敷料は家畜の衛生状態を維持し、リラックスするための環境整備に欠かせない存在であり、糞尿を吸収し、それを取り替えることにより、厩舎内を清潔に保つだけで無く、家畜の病気発生を予防する重要な役割を担っている。【０００３】厩舎では、従来、敷料に稲藁が使われて来たが、近年、稲の刈り取り方法の機械化が進み、刈り取り後の藁を田圃に戻すため、稲藁の入手が困難になって来ている。【０００４】稲藁の代替材料としては、木材を原料とするオガクズ、プレーナ屑、紙を原料とするシュレッダー屑、ヤシ殻を原料とする粉砕屑や麦の茎を原料とする麦かんなどが使われて来ているが敷料としての特性には一長一短がある。【０００５】また、これらの代替敷料には資源量に限りがあり、稲藁の不足とともに価格が高騰しており、量的確保にも苦慮している。【０００６】従って、稲藁やオガクズ、プレーナ屑、麦かんに代る第３の敷料を緊急に確保することが必要になって来た。【０００７】新しい代替材料としては、資源的に豊富で、永続的供給が可能なことが必要であり、価格も安価な敷料が求められている。【０００８】本考案の落花生殻を原料としている厩舎用敷料は弾力性、吸水性、消臭性に優れ、落花生生産の副産物の、未利用資源であり、価格も安価で資源量も豊富に確保できる特徴を有する。
【先行技術文献】
【特許文献】
【０００９】
【特許文献１】特開２００４−１０５４６２号
【００１０】
【特許文献２】登録実用新案公報弟３０５６８８９号
【考案の概要】
【考案が解決しようとする課題】
【００１１】厩舎の敷料は家畜の衛生状態を維持し、リラックスするための環境整備に欠かせない存在であり、糞尿を吸収し、それを取り替えることにより、厩舎内を清潔に保つだけで無く、家畜の病気発生を予防する重要な役割がある。【００１２】しかし近年、敷料に使われる稲の刈り取り方法の機械化が進み、刈り取り後の藁を田圃に戻すため、稲藁の場合入手が困難になって来ており、安価で豊富な敷料が求められる。【００１３】稲藁の代替材料としては、木材を原料とするオガクズ、プレーナ屑、紙を原料とするシュレッダー屑、ヤシ殻を原料とする粉砕屑や麦の茎を原料とする麦かんなどが使われて来ているが敷料としての特性には一長一短がり、価格も高騰している。【００１４】本考案は、従来の敷料と比べ、家畜にとって安全で快適な環境を作る、安価で、弾力性、吸水性、に優れ家畜の糞尿に由来するアンモニア臭の消臭性にも優れた落花生殻敷料を考案し課題を解決することを目的としている。
【課題を解決するための手段】
【００１５】請求項目１の考案は、上記課題を解決するために、稲藁に替わる厩舎用敷料として、弾力性、吸水性、アンモニア臭の消臭性に優れる事を特徴とした、厩舎に適した落花生殻の厩舎用敷料を提供する。【００１６】請求項目２の考案では厩舎の敷料において、弾力性、吸水性、消臭性を特徴とする落花生殻の厩舎用敷料の機能を高め、厩舎の清掃に適するサイズに裁断、加工することで家畜の衛生状態を維持し、環境整備が得られる。【００１７】請求項３の考案では、他の敷料のオガクズ、プレーナ屑、シュレッダー屑、ヤシ殻や麦かんなどがその特性に一長一短があり、価格も高騰しているが、優れた弾力性、吸水性、消臭性を特徴とし資源量も豊富な落花生殻の厩舎用敷料を他の食物系の敷料と混合して使用することで、混合敷料としての安定した機能と割安な価格が得られる。【００１８】請求項４の考案は上記の落花生殻の敷料を裁断製造する装置において原料の殻に付着している茎、蔓、土ほこりなどの細かな粒子を裁断排出時に集塵吸引、分離することを特徴とする製造方法を得ることで、落花生殻の敷料を一体処理し効率良く安価な製造方法が得られる。【００１９】請求項５の考案は上記の落花生殻の敷料を裁断製造する装置において、裁断排出時に家畜の蹄の保護と防塵に給するため植物オイルを付着させることを特徴とする製造方法で家畜の蹄の病気予防を図ることが得られる。
【考案の効果】
【００２０】以上の説明で明らかなように、本考案では次に列挙する効果が得られる。
（１）請求項目１の考案により、稲藁に替わる厩舎用敷料として、弾力性、吸水性、アンモニア臭の消臭性に優れる事を特徴とした、厩舎に適した落花生殻の厩舎用敷料を提供できる。
（２）請求項目２の考案により、弾力性、吸水性、消臭性を特徴とする落花生殻の厩舎用敷料の機能を高め、厩舎の清掃に適するサイズに裁断、加工することで家畜の衛生状態を維持し、環境整備が得られる。
（３）請求項３の考案では、他の敷料のオガクズ、プレーナ屑、シュレッダー屑、ヤシ殻や麦かんなど他の食物系の敷料と混合して使用することで、混合敷料としての安定した機能と割安な価格が得られる。
（４）請求項４の考案では原料の殻に付着している茎、蔓、土ほこりなどの細かな粒子を裁断排出時に集塵吸引、分離することを特徴とする製造方法を得ることで、落花生殻の敷料を一体処理し効率良く安価な製造方法が得られる。
（５）請求項５の考案では家畜の蹄の保護と防塵に給するため植物オイルを付着させることを特徴とする製造方法で家畜の蹄の病気予防を図ることが得られる。
【図面の簡単な説明】
【００２１】
【図１】本考案の形態を示す立面図
【考案を実施するための形態】
【００２２】以下、本考案の落花生殻の厩舎用の敷料について図を用いて説明する。
【実施例１】
【００２３】落花生の殻の厩舎用敷料の製造は、投入コンベア１と、投入ポイッパー２と、粉砕機３と、排出コンベア４と、吸塵ホース５と、集塵機６、によって構成されている。【００２４】落花生の殻を、１の投入コンベアに搬送し、２の投入ホイッパーに投入する。【００２５】３の粉砕機では厩舎用敷料に適したサイズに粉砕し、製品は下部にある、５の取り出しコンベアでは植物オイルを付着させながら搬出することが出来る。【００２６】３の粉砕機で厩舎用敷料に適したサイズに粉砕する際に発生する、小さいサイズや土ほこり、粉塵は、５の吸塵ホースに吸い込まれ、６の集塵機に集ることで良質の敷料の製造が可能となる。
【産業上の利用可能性】
【００２７】本考案は落花生殻の厩舎用敷料を製造する産業で利用される。
【符号の説明】
【００２８】１，投入コンベア
２，投入ホイッパー
３，粉砕機
４，取出コンベア
５、吸塵ホース
６，集塵機
【図１】
0003178156.tif 000003
【手続補正書】
【提出日】平成24年6月12日(2012.6.12)
【手続補正１】
【補正対象書類名】実用新案登録請求の範囲
【補正対象項目名】全文
【補正方法】変更
【補正の内容】
【実用新案登録請求の範囲】
【請求項１】
落花生殻の敷料製造装置において原料の殻を破砕し、１０ｍｍから１５ｍｍのスクリーンを通して縦横１５ｍｍ以下のサイズに破砕排出し、殻に付着している茎、蔓、土ほこりなどの細かな粒子を除くために前記製造装置の下部の排出口の側面に集塵機のダクトを接続して空気の流れを作り、比重の軽い細かな粒子を吸引分離して排除し、比重の重い直径５ｍｍから１５ｍｍの殻は装置下部より取り出して敷料を製造することを特徴とする製造装置。
【請求項２】
落花生殻の敷料製造装置において、製造装置の下部に設置した取出しベルトコンベアーから搬出時に、ベルトコンベアーを低速運行し、家畜の蹄の保護と防塵に給するため植物オイルを、ベルトコンベアーのライン上部から噴霧装置で付着させ、前記噴霧装置のスプレーノズルからミスト状の植物オイルを噴霧する際には、ドリフトを避けるため、粗い数百ミクロン単位の植物オイルの霧を付着させることを特徴とする請求項１に記載の敷料製造装置。
【手続補正３】
【補正対象書類名】明細書
【補正対象項目名】００２０
【補正方法】変更
【補正の内容】
【００２０】  本考案では次に列挙する効果が得られる。
（１）請求項目１の考案により、稲藁に替わる厩舎用敷料として、弾力性、吸水性、アンモニア臭の消臭性に優れる事を特徴とした、敷料を提供でき厩舎の清掃に適するサイズに裁断、加工し原料の落花生殻に付着している茎、蔓、土ほこりなどの細かな粒子を裁断排出時に集塵吸引、分離することを特徴とする製造方法により家畜の衛生状態を維持し、環境整備に貢献する効果が得られる。
（３）請求項２の考案では、家畜の蹄の保護と防塵に給するため植物オイルを付着させることを特徴とする製造方法で家畜の蹄の病気や呼吸器の病気の予防を図ることが得られる。